(57)【特許請求の範囲】
【請求項１】
システム情報伝送方法であって、前記方法は、
ネットワークデバイスにより、最小システム情報（MSI）メッセージをブロードキャストするステップであって、前記MSIメッセージが少なくとも1つのシステム情報ブロック（SIB）／システム情報ブロックグループの識別情報を含み、各SIB／システム情報ブロックグループの識別情報が前記SIB／システム情報ブロックグループの識別子と前記SIB／システム情報ブロックグループのタイプ指示とを含み、前記SIB／システム情報ブロックグループの前記タイプ指示が、前記SIB／システム情報ブロックグループのタイプがエリア固有のシステム情報またはセル固有のシステム情報であることを指示するために使用される、ステップ
を含む、方法。
【請求項２】
前記識別子のビット数が前記SIB／システム情報ブロックグループの前記タイプに対応する、請求項1に記載の方法。
【請求項３】
各SIB／システム情報ブロックグループの前記識別情報が、以下の情報、すなわち、次のSIB／システム情報ブロックグループの識別子があるかどうかを指示する指示、およびセルが前記システム情報をサポートするかどうかを指示する指示、のうちの少なくとも1つをさらに含む、請求項1または2に記載の方法。
【請求項４】
前記MSIメッセージが、少なくとも1つの他のシステム情報ブロック／他のシステム情報ブロックグループのスケジューリング情報をさらに含み、前記他のシステム情報ブロック／他のシステム情報ブロックグループが、最小システム情報ブロック／最小システム情報ブロックグループ以外のSIB／システム情報ブロックグループである、請求項1または2に記載の方法。
【請求項５】
前記スケジューリング情報が、前記少なくとも1つの他のシステム情報ブロック／他のシステム情報ブロックグループの識別情報の数および／または配列順を指示するためにさらに使用される、請求項4に記載の方法。
【請求項６】
前記方法が、
前記ネットワークデバイスにより、端末デバイスから少なくとも1つのSIB／システム情報ブロックグループを求める取得要求を受信するステップであって、前記少なくとも1つのSIB／システム情報ブロックグループの識別子が、エリア内のセルにおける少なくとも1つのSIB／システム情報ブロックグループのものである、前記端末デバイスによって格納されている識別子と部分的に同じである場合、前記取得要求が、前記少なくとも1つのSIB／システム情報ブロックグループの前記識別子内の、前記少なくとも1つのSIB／システム情報ブロックグループの前記格納された識別子と異なる識別子に対応する少なくとも1つのSIB／システム情報ブロックグループを取得するよう要求するために使用され、前記少なくとも1つのSIB／システム情報ブロックグループの識別子が、少なくとも1つのSIB／システム情報ブロックグループのすべての格納された識別子と異なる場合、前記取得要求が、すべてのSIB／システム情報ブロックグループを取得するよう要求するために使用される、ステップと、
前記ネットワークデバイスにより、前記少なくとも1つの要求されたSIB／システム情報ブロックグループを前記端末デバイスに送信するステップと
をさらに含む、請求項1から5のいずれか一項に記載の方法。
【請求項７】
ネットワークが複数のエリアを含み、前記複数のエリア内の隣接するエリアのエリア識別子が異なり、各エリアが、前記SIB／システム情報ブロックグループの前記識別情報に対応するシステム情報によって決定される、請求項1から6のいずれか一項に記載の方法。
【請求項８】
前記SIB／システム情報ブロックグループの前記タイプ指示が1ビットのものである、請求項1から6のいずれか一項に記載の方法。
【請求項９】
システム情報伝送方法であって、前記方法は、
端末デバイスにより、ターゲットセルに対応するネットワークデバイスから最小システム情報（MSI）メッセージを受信するステップであって、前記MSIメッセージが少なくとも1つのシステム情報ブロック（SIB）／システム情報ブロックグループの識別情報を含み、各SIB／システム情報ブロックグループの識別情報が前記SIB／システム情報ブロックグループの識別子と前記SIB／システム情報ブロックグループのタイプ指示とを含み、前記SIB／システム情報ブロックグループの前記タイプ指示が、前記SIB／システム情報ブロックグループのタイプがエリア固有のシステム情報またはセル固有のシステム情報であることを指示するために使用される、ステップと、
前記端末デバイスにより、
前記ターゲットセルにおける少なくとも1つのSIB／システム情報ブロックグループの識別子が、エリア内のセルにおける少なくとも1つのSIB／システム情報ブロックグループのものである、前記端末デバイスによって格納されている識別子と部分的に同じである場合、前記端末デバイスにより、前記ターゲットセルにおける前記少なくとも1つのSIB／システム情報ブロックグループの前記識別子内の、前記少なくとも1つのSIB／システム情報ブロックグループの前記格納された識別子と異なる識別子に対応する少なくとも1つのSIB／システム情報ブロックグループを取得するステップ、または
前記ターゲットセルにおける少なくとも1つのSIB／システム情報ブロックグループの識別子が、少なくとも1つのSIB／システム情報ブロックグループのすべての格納された識別子と異なる場合、前記端末デバイスにより、前記ターゲットセルにおけるすべてのSIB／システム情報ブロックグループを取得するステップ
のうちの少なくとも1つをさらに行うステップと
を含む、方法。
【請求項１０】
前記端末デバイスにより、前記少なくとも1つのSIB／システム情報ブロックグループまたはすべてのSIB／システム情報ブロックグループを取得する前記ステップの前に、前記方法が、
前記ターゲットセルにおける前記少なくとも1つのSIB／システム情報ブロックグループの前記識別子が前記少なくとも1つのSIB／システム情報ブロックグループの前記格納された識別子と同じであるかどうかを判定するために、前記端末デバイスにより、前記ターゲットセルにおける前記少なくとも1つのSIB／システム情報ブロックグループの前記タイプ指示に基づき、前記ターゲットセルにおける少なくとも1つのセル固有のシステム情報の識別子と前記ターゲットセルにおける少なくとも1つのセル固有のシステム情報の格納された識別子を、および前記ターゲットセルにおける少なくとも1つのエリア固有のシステム情報の識別子と前記エリア内の前記セルにおける少なくとも1つのエリア固有のシステム情報の格納された識別子を、それぞれ比較するステップ
をさらに含む、請求項9に記載の方法。
【請求項１１】
端末デバイスにより、ターゲットセルに対応するネットワークデバイスから最小システム情報（MSI）メッセージを受信する前記ステップの後に、前記方法が、
前記端末デバイスにより、各SIB／システム情報ブロックグループの前記識別情報中の前記SIB／システム情報ブロックグループの前記タイプ指示を取得し、前記SIB／システム情報ブロックグループのものである、識別子のタイプに対応するビット数で指示される前記識別子を取得するステップであって、前記識別子の前記ビット数が前記SIB／システム情報ブロックグループの前記タイプに対応する、ステップ
をさらに含む、請求項9または10に記載の方法。
【請求項１２】
前記端末デバイスにより、前記少なくとも1つのSIB／システム情報ブロックグループを取得する前記ステップの後に、前記方法が、
前記端末デバイスが前記ネットワークデバイスからSIB／システム情報ブロックグループの更新指示を受信するときに、前記端末デバイスにより、少なくとも1つの更新されたSIB／システム情報ブロックグループの識別子を取得するために、前記ネットワークデバイスからMSIメッセージを受信するステップと、
前記少なくとも1つの更新されたSIB／システム情報ブロックグループの前記識別子が、前記ターゲットセルにおける前記少なくとも1つのSIB／システム情報ブロックグループのものである、前記端末デバイスによって格納されている前記識別子と部分的に同じである場合、前記端末デバイスにより、前記少なくとも1つの更新されたSIB／システム情報ブロックグループの前記識別子内の、前記ターゲットセルにおける前記少なくとも1つのSIB／システム情報ブロックグループの前記格納された識別子と異なる識別子に対応する少なくとも1つのSIB／システム情報ブロックグループを取得するステップ、または
前記少なくとも1つの更新されたSIB／システム情報ブロックグループの前記識別子が、前記ターゲットセルにおける前記少なくとも1つのSIB／システム情報ブロックグループのすべての前記格納された識別子と異なる場合、前記端末デバイスにより、すべての前記更新されたSIB／システム情報ブロックグループを取得するステップと
をさらに含む、請求項9から11のいずれか一項に記載の方法。
【請求項１３】
ネットワークが複数のエリアを含み、前記複数のエリア内の隣接するエリアのエリア識別子が異なり、各エリアが、前記SIB／システム情報ブロックグループの前記識別情報に対応するシステム情報によって決定される、請求項9から12のいずれか一項に記載の方法。
【請求項１４】
前記端末デバイスにより、前記識別情報中の前記SIB／システム情報ブロックグループのタイプ指示ビットを読み取るステップであって、前記SIB／システム情報ブロックグループの前記識別子のビット数が前記SIB／システム情報ブロックグループの前記タイプに対応する、ステップと、
前記タイプ指示ビットに基づいて前記SIB／システム情報ブロックグループの前記識別子の前記ビット数を決定するステップと、
前記SIB／システム情報ブロックグループの前記識別子の前記決定されたビット数から前記SIB／システム情報ブロックグループの前記識別子を読み取るステップと
をさらに含む、請求項9から13のいずれか一項に記載の方法。
【請求項１５】
最小システム情報（MSI）メッセージをブロードキャストするように構成された送信部であって、前記MSIメッセージが少なくとも1つのシステム情報ブロック（SIB）／システム情報ブロックグループの識別情報を含み、各SIB／システム情報ブロックグループの識別情報が前記SIB／システム情報ブロックグループの識別子と前記SIB／システム情報ブロックグループのタイプ指示とを含み、前記SIB／システム情報ブロックグループの前記タイプ指示が、前記SIB／システム情報ブロックグループのタイプがエリア固有のシステム情報またはセル固有のシステム情報であることを指示するために使用される、送信部
を含む、ネットワークデバイス。
【請求項１６】
前記識別子のビット数が前記SIB／システム情報ブロックグループの前記タイプに対応する、請求項15に記載のネットワークデバイス。
【請求項１７】
端末デバイスから少なくとも1つのSIB／システム情報ブロックグループを求める取得要求を受信するように構成された受信部であって、前記少なくとも1つのSIB／システム情報ブロックグループの識別子が、エリア内のセルにおける少なくとも1つのSIB／システム情報ブロックグループのものである、前記端末デバイスによって格納されている識別子と部分的に同じである場合、前記取得要求が、前記少なくとも1つのSIB／システム情報ブロックグループの前記識別子内の、前記少なくとも1つのSIB／システム情報ブロックグループの前記格納された識別子と異なる識別子に対応する少なくとも1つのSIB／システム情報ブロックグループを取得するよう要求するために使用され、前記少なくとも1つのSIB／システム情報ブロックグループの識別子が、少なくとも1つのSIB／システム情報ブロックグループのすべての格納された識別子と異なる場合、前記取得要求が、すべてのSIB／システム情報ブロックグループを取得するよう要求するために使用される、受信部
をさらに含み、
前記送信部が、前記少なくとも1つの要求されたSIB／システム情報ブロックグループを前記端末デバイスに送信するようにさらに構成される、請求項15または16に記載のネットワークデバイス。
【請求項１８】
ネットワークが複数のエリアを含み、前記複数のエリア内の隣接するエリアのエリア識別子が異なり、各エリアが、前記SIB／システム情報ブロックグループの前記識別情報に対応するシステム情報によって決定される、請求項15から17のいずれか一項に記載のネットワークデバイス。
【請求項１９】
ターゲットセルに対応するネットワークデバイスから最小システム情報（MSI）メッセージを受信するように構成された受信部であって、前記MSIメッセージが少なくとも1つのシステム情報ブロック（SIB）／システム情報ブロックグループの識別情報を含み、各SIB／システム情報ブロックグループの識別情報が前記SIB／システム情報ブロックグループの識別子と前記SIB／システム情報ブロックグループのタイプ指示とを含み、前記SIB／システム情報ブロックグループの前記タイプ指示が、前記SIB／システム情報ブロックグループのタイプがエリア固有のシステム情報またはセル固有のシステム情報であることを指示するために使用される、受信部と、
前記ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、前記ターゲットセルにおける前記少なくとも1つのSIB／システム情報ブロックグループの前記識別子内の、前記少なくとも1つのSIB／システム情報ブロックグループの前記格納された識別子と異なる識別子に対応する少なくとも1つのSIB／システム情報ブロックグループを取得するか、または前記ターゲットセルにおける少なくとも1つのSIB／システム情報ブロックグループの識別子が、少なくとも1つのSIB／システム情報ブロックグループのすべての格納された識別子と異なる場合、前記ターゲットセルにおけるすべてのSIB／システム情報ブロックグループを取得する、ように構成された第1の取得部と
を含む、端末デバイス。
【請求項２０】
判定部をさらに含み、前記判定部が、
前記ターゲットセルにおける前記少なくとも1つのSIB／システム情報ブロックグループの前記識別子が前記少なくとも1つのSIB／システム情報ブロックグループの前記格納された識別子と同じであるかどうかを判定するために、前記ターゲットセルにおける前記少なくとも1つのSIB／システム情報ブロックグループの前記タイプ指示に基づき、前記ターゲットセルにおける少なくとも1つのセル固有のシステム情報の識別子と前記ターゲットセルにおける少なくとも1つのセル固有のシステム情報の格納された識別子を、および前記ターゲットセルにおける少なくとも1つのエリア固有のシステム情報の識別子と前記エリア内の前記セルにおける少なくとも1つのエリア固有のシステム情報の格納された識別子を、それぞれ比較すること、または
前記識別情報中の前記SIB／システム情報ブロックグループのタイプ指示ビットを読み取ることであって、前記SIB／システム情報ブロックグループの前記識別子のビット数が前記SIB／システム情報ブロックグループの前記タイプに対応すること、前記タイプ指示ビットに基づいて前記SIB／システム情報ブロックグループの前記識別子の前記ビット数を決定すること、および前記SIB／システム情報ブロックグループの前記識別子の前記決定されたビット数から前記SIB／システム情報ブロックグループの前記識別子を読み取ること、
のうちの1つまたは複数を行うように構成される、請求項19に記載の端末デバイス。
【請求項２１】
各SIB／システム情報ブロックグループの前記識別情報中の前記SIB／システム情報ブロックグループの前記タイプ指示を取得し、前記SIB／システム情報ブロックグループのものである、識別子のタイプに対応するビット数で指示される前記識別子を取得するように構成された第2の取得部であって、前記識別子の前記ビット数が前記SIB／システム情報ブロックグループの前記タイプに対応する、第2の取得部
をさらに含む、請求項19または20に記載の端末デバイス。
【請求項２２】
前記受信部が、前記ネットワークデバイスからSIB／システム情報ブロックグループの更新指示を受信するときに、少なくとも1つの更新されたSIB／システム情報ブロックグループの識別子を取得するために、前記ネットワークデバイスからMSIメッセージを受信するようにさらに構成され、
前記第1の取得部が、前記少なくとも1つの更新されたSIB／システム情報ブロックグループの前記識別子が、前記ターゲットセルにおける前記少なくとも1つのSIB／システム情報ブロックグループのものである、前記端末デバイスによって格納されている前記識別子と部分的に同じである場合、前記少なくとも1つの更新されたSIB／システム情報ブロックグループの前記識別子内の、前記ターゲットセルにおける前記少なくとも1つのSIB／システム情報ブロックグループの前記格納された識別子と異なる識別子に対応する少なくとも1つのSIB／システム情報ブロックグループを取得するか、または前記少なくとも1つの更新されたSIB／システム情報ブロックグループの前記識別子が、前記ターゲットセルにおける前記少なくとも1つのSIB／システム情報ブロックグループのすべての前記格納された識別子と異なる場合、すべての前記更新されたSIB／システム情報ブロックグループを取得する、ようにさらに構成される、請求項19から21のいずれか一項に記載の端末デバイス。
【請求項２３】
ネットワークが複数のエリアを含み、前記複数のエリア内の隣接するエリアのエリア識別子が異なり、各エリアが、前記SIB／システム情報ブロックグループの前記識別情報に対応するシステム情報によって決定される、請求項19から22のいずれか一項に記載の端末デバイス。
【請求項２４】
通信装置であって、
コンピュータプログラムを格納したメモリと、
前記コンピュータプログラムを実行して、請求項1から8のいずれか一項または請求項9から14のいずれか一項に記載の方法を前記通信装置に実施させるように構成されたプロセッサと
を含む通信装置。
【請求項２５】
実行されると、請求項1から8のいずれか一項または請求項9から14のいずれか一項に記載の方法が実施されるコンピュータプログラムを格納した、コンピュータ可読記憶媒体。
【請求項２６】
コンピュータによって実行されたとき、請求項1から8のいずれか一項または請求項9から14のいずれか一項に記載の方法が実施されるコンピュータプログラム。
【請求項２７】
メモリ内のコンピュータプログラムを実行して、請求項1から8のいずれか一項または請求項9から14のいずれか一項に記載の方法を実施するように構成されたプロセッサを含む、通信装置。
【発明の詳細な説明】
【技術分野】
【０００１】
本出願は、参照によりその全体が本明細書に組み入れられる、2017年4月28日付で中国国家知識産権局に出願された、「SYSTEM INFORMATION TRANSMISSION METHOD, TERMINAL DEVICE, AND NETWORK DEVICE」という名称の中国特許出願第201710290940.2号の優先権を主張するものである。
【０００２】
本出願は、通信分野に関し、特に、システム情報伝送方法、端末デバイス、およびネットワークデバイスに関する。
【背景技術】
【０００３】
大容量の次世代通信システムの要件を満たすために、6GHzを超える高周波数帯域が高帯域幅および高速伝送を使用する通信に導入される。高周波通信の伝搬損失が大きいため、伝搬距離と高ビーム利得を確保するにはナロービームが使用される必要がある。しかしながら、ナロービームのカバレッジは限られている。通信品質を確保するには、ネットワークデバイスと端末デバイスとの間のナロービームアライメントが必要である。
【０００４】
ロングタームエボリューション（Long Term Evolution、LTE）通信システムのシステム情報は、周期的にブロードキャストされ送信される。高周波システムのシステム情報が送信されるときに、ネットワークデバイスは、システム情報を端末デバイスに送信するために複数のビームをスキャンして、セル全体のカバレッジを確保する必要がある。すべてのシステム情報がそれでもなお周期的にブロードキャストされ送信される場合、過剰なネットワークリソースが占有される。加えて、高周波数セルのカバレッジは比較的小さいので、高周波数セルはカバレッジを確保するために非常に密に分布する必要がある。特定のエリア内で移動する場合、端末デバイスは異なる高周波数セル間で非常に頻繁にハンドオーバし、その特定のエリア内の高周波数セルにおけるシステム情報のコンテンツの大部分が同じである。図1に示される高周波数セルのエリア分布の概略図において、エリア1はセル1、セル2、およびセル3を含み、3つのセルにおけるシステム情報の大部分が同じであり、同様に、エリア2はセル4およびセル5を含み、2つのセルにおけるシステム情報の大部分が同じである。端末デバイスがセルに入るたびに端末デバイスがすべてのシステム情報を再取得する必要がある場合、ネットワークに過度の負荷が発生する。
【０００５】
したがって、ネットワークデバイスがシステム情報を送信するときのネットワークリソースオーバーヘッドをどのように削減するかが、喫緊に解決される必要がある問題になっている。
【発明の概要】
【課題を解決するための手段】
【０００６】
本出願は、システム情報を伝送するためのネットワークリソースオーバーヘッドを削減する、システム情報伝送方法、端末デバイス、およびネットワークデバイスを提供する。
【０００７】
本出願の一態様は、システム情報伝送方法を提供する。本方法は、ネットワークデバイスにより、最小システム情報MSIメッセージをブロードキャストするステップであって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、ステップ、を含む。本実施態様では、ネットワークデバイスは、システム情報ブロック／システム情報ブロックグループの識別情報を最小システム情報メッセージにおいてブロードキャストし、識別子のタイプに基づいて異なる識別子に対応する識別情報が含まれ、それによってネットワークリソースオーバーヘッドが削減される。
【０００８】
一実施態様では、識別子のビット数が識別子のタイプに対応する。本実施態様では、識別子のビット数が識別子のタイプに対応することは、異なる識別子のタイプが異なるビット数に対応することであり得る。このようにして、例えば、Cell specific Indexでは、比較的少数のビットを使用してセル固有のインデックスの識別子を指示することができ、それによってネットワークリソースオーバーヘッドが削減される。
【０００９】
別の実施態様では、各SIB／システム情報ブロックグループの識別情報は、以下の情報、すなわち、次のSIB／システム情報ブロックグループの識別子があるかどうかを指示する指示、およびセルがシステム情報をサポートするかどうかを指示する指示のうちの少なくとも1つをさらに含む。本実施態様では、MSIメッセージが複数の識別情報を含むとき、次のSIB／システム情報ブロックグループの識別子があるかどうかが明確に指示され、セルがシステム情報をサポートしない場合、UEは後続のフィールドからコンテンツを読み取る必要がない。
【００１０】
さらに別の実施態様では、MSIメッセージは、少なくとも1つの他のシステム情報ブロック／他のシステム情報ブロックグループのスケジューリング情報をさらに含み、他のシステム情報ブロック／他のシステム情報ブロックグループは、最小システム情報ブロック／最小システム情報ブロックグループ以外のSIB／システム情報ブロックグループである。本実施態様では、MSIメッセージはスケジューリング情報をさらに含み、UEは、スケジューリング情報に対応するリソース位置において少なくとも1つの他のシステム情報ブロック／他のシステム情報ブロックグループのスケジューリング情報を直接取得し得る。
【００１１】
さらに別の実施態様では、スケジューリング情報は、少なくとも1つの他のシステム情報ブロック／他のシステム情報ブロックグループの識別情報の数および／または配列順を指示するためにさらに使用される。本実施態様では、MSIメッセージがスケジューリング情報をさらに含む場合、MSIメッセージは、次のSIB／システム情報ブロックグループの識別子があるかどうかを指示する指示、およびセルがシステム情報をサポートするかどうかを指示する指示を含む必要がなく、スケジューリング情報は、少なくとも1つの他のシステム情報ブロック／他のシステム情報ブロックグループの識別情報の数および／または配列順を直接指示する。
【００１２】
さらに別の実施態様では、本方法は、ネットワークデバイスにより、端末デバイスから少なくとも1つのSIB／システム情報ブロックグループを求める取得要求を受信するステップであって、少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、取得要求が、少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するよう要求するために使用され、少なくとも1つのSIB／システム情報ブロックグループの識別子が、少なくとも1つのSIB／システム情報ブロックグループのすべての格納された識別子と異なる場合、取得要求が、すべてのSIB／システム情報ブロックグループを取得するよう要求するために使用される、ステップと、ネットワークデバイスにより、少なくとも1つの要求されたSIB／システム情報ブロックグループを端末デバイスに送信するステップと、をさらに含む。本実施態様では、端末デバイスがネットワークデバイスにSIB／システム情報ブロックグループを求める取得要求を送信する場合、ネットワークデバイスは、取得要求を受信し、要求されたSIB／システム情報ブロックグループを返す。SIB／システム情報ブロックグループが最小SIB／システム情報ブロックグループである場合、端末デバイスは、ネットワークデバイスからSIB／システム情報ブロックグループを取得せずに、ブロードキャストされたMSIメッセージからSIB／システム情報ブロックグループを読み取り得ることに留意されたい。MSIメッセージがSIB／システム情報ブロックグループのスケジューリング情報を含む場合、端末デバイスは対応するリソース位置においてSIB／システム情報ブロックグループを取得し得る。例えば、スケジューリング情報に基づき、SIB／システム情報ブロックグループがスケジューリング情報に対応するリソース位置において別のセルでブロードキャストされていることが分かる場合、UEはブロードキャストされたSIB／システム情報ブロックグループを受信し得る。
【００１３】
本出願の別の態様は、ネットワークデバイスを提供する。本ネットワークデバイスは、前述の方法におけるネットワークデバイスの動作を実施する機能を有する。この機能は、ハードウェアを使用して実施され得るか、またはハードウェアが対応するソフトウェアを実行することによって実施され得る。ハードウェアまたはソフトウェアは、前述の機能に対応する1つまたは複数のモジュールを含む。
【００１４】
1つの可能な実施態様では、本ネットワークデバイスは、最小システム情報MSIメッセージをブロードキャストするように構成された送信部であって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、送信部、を含む。
【００１５】
別の可能な実施態様では、本ネットワークデバイスは、受信機と、送信機と、メモリと、プロセッサとを含み、メモリは1組のプログラムコードを格納し、プロセッサは、送信機を使用して、最小システム情報MSIメッセージをブロードキャストする動作であって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、動作、を行うために、メモリに格納されたプログラムコードを呼び出すように構成される。
【００１６】
同じ発明概念に基づき、装置の問題解決原理および有益な効果については、ネットワークデバイスの前述の可能な方法実施態様およびもたらされる有益な効果を参照されたい、したがって、装置の実施態様については、方法の実施態様を参照されたい。重複する部分は繰り返さない。
【００１７】
本出願のさらに別の態様は、システム情報伝送方法を提供する。本方法は、端末デバイスがターゲットセルに移動したときに、端末デバイスにより、ターゲットセルに対応するネットワークデバイスから最小システム情報MSIメッセージを受信するステップであって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、ステップと、端末デバイスにより、ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、端末デバイスにより、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するステップ、またはターゲットセルにおける少なくとも1つのSIB／システム情報ブロックグループの識別子が、少なくとも1つのSIB／システム情報ブロックグループのすべての格納された識別子と異なる場合、端末デバイスにより、ターゲットセルにおけるすべてのSIB／システム情報ブロックグループを取得するステップ、のうちの少なくとも1つをさらに行うステップと、を含む。ターゲットセルにおける少なくとも1つのSIB／システム情報ブロックグループの識別子が、エリア内のセルにおける少なくとも1つのSIB／システム情報ブロックグループのものである、端末デバイスによって格納されているすべての識別子と同じである場合、端末デバイスは少なくとも1つのSIB／システム情報ブロックグループを取得する必要がないことに留意されたい。本実施態様では、端末デバイスは、システム情報ブロック／システム情報ブロックグループのものである、最小システム情報メッセージにおいてネットワークデバイスによってブロードキャストされた識別情報を受信し、識別子のタイプに基づいて異なる識別子に対応する識別情報が含まれ、それによってネットワークリソースオーバーヘッドが削減され、端末デバイスは、ターゲットセルにおけるSIB／システム情報ブロックグループの識別子とSIB／システム情報ブロックグループの格納された識別子とを比較して、異なる識別子を有するSIB／システム情報ブロックグループのみを取得し、それによってネットワークリソースオーバーヘッドがさらに削減され、システム情報を取得する効率が改善される。
【００１８】
一実施態様では、端末デバイスにより、少なくとも1つのSIB／システム情報ブロックグループまたはすべてのSIB／システム情報ブロックグループを取得するステップの前に、本方法は、ターゲットセルにおける少なくとも1つのSIB／システム情報ブロックグループの識別子が少なくとも1つのSIB／システム情報ブロックグループの格納された識別子と同じであるかどうかを判定するために、端末デバイスにより、ターゲットセルにおける少なくとも1つのSIB／システム情報ブロックグループの識別子のタイプに基づき、ターゲットセルにおける少なくとも1つのセル固有のシステム情報の識別子とターゲットセルにおける少なくとも1つのセル固有のシステム情報の格納された識別子を、およびターゲットセルにおける少なくとも1つのエリア固有のシステム情報の識別子とエリア内のセルにおける少なくとも1つのエリア固有のシステム情報の格納された識別子を、それぞれ比較するステップ、をさらに含む。本実施態様では、異なるタイプの識別子がそれぞれ比較されて、異なる識別子を有するSIB／システム情報ブロックグループが取得され、それによって比較効率が改善される。
【００１９】
別の実施態様では、端末デバイスにより、ターゲットセルに対応するネットワークデバイスから最小システム情報MSIメッセージを受信するステップの後に、本方法は、端末デバイスにより、各SIB／システム情報ブロックグループの識別情報中の各SIB／システム情報ブロックグループの識別子のタイプを取得し、SIB／システム情報ブロックグループのものである、識別子のタイプに対応するビット数で指示される識別子を取得するステップであって、識別子のビット数が識別子のタイプに対応する、ステップ、をさらに含む。具体的には、端末デバイスは、各SIB／システム情報ブロックグループの識別情報から各SIB／システム情報ブロックグループの識別子のタイプを順次に読み取り、SIB／システム情報ブロックグループのものである、識別子のタイプに対応するビット数で指示される識別子を読み取る。
【００２０】
さらに別の実施態様では、端末デバイスにより、少なくとも1つのSIB／システム情報ブロックグループを取得するステップの後に、本方法は、端末デバイスがネットワークデバイスからSIB／システム情報ブロックグループの更新指示を受信するときに、端末デバイスにより、少なくとも1つの更新されたSIB／システム情報ブロックグループの識別子を取得するために、ネットワークデバイスからMSIメッセージを受信するステップと、少なくとも1つの更新されたSIB／システム情報ブロックグループの識別子が、ターゲットセルにおける少なくとも1つのSIB／システム情報ブロックグループのものである、端末デバイスによって格納されている識別子と部分的に同じである場合、端末デバイスにより、少なくとも1つの更新されたSIB／システム情報ブロックグループの識別子内の、ターゲットセルにおける少なくとも1つのSIB／システム情報ブロックグループの格納された識別子と異なる識別子に対応する少なくとも1つのSIB／システム情報ブロックグループを取得するステップ、または少なくとも1つの更新されたSIB／システム情報ブロックグループの識別子がターゲットセルにおける少なくとも1つのSIB／システム情報ブロックグループのすべての格納された識別子と異なる場合、端末デバイスにより、すべての更新されたSIB／システム情報ブロックグループを取得するステップと、をさらに含む。本実施態様では、SIB／システム情報ブロックグループは更新される。UEによって取得される必要があるSIB／システム情報ブロックグループについて、1つの可能な場合には、SIB／システム情報ブロックグループがMSIである場合、UEはブロードキャストされたMSIメッセージからSIB／システム情報ブロックグループを読み取る。別の可能な場合には、SIB／システム情報ブロックグループがOSIである場合、UEはSIB／システム情報ブロックグループを取得するためにネットワークデバイスにSI取得要求を送信し得る。ネットワークデバイスはUEから取得要求を受信し、少なくとも1つの更新されたSIB／システム情報ブロックグループの識別子が、ターゲットセルにおける少なくとも1つのSIB／システム情報ブロックグループのものである、端末デバイスによって格納されている識別子と部分的に同じである場合、取得要求が、少なくとも1つの更新されたSIB／システム情報ブロックグループの識別子内の、ターゲットセルにおける少なくとも1つのSIB／システム情報ブロックグループの格納された識別子と異なる識別子に対応する少なくとも1つのSIB／システム情報ブロックグループを取得するために使用され、または少なくとも1つの更新されたSIB／システム情報ブロックグループの識別子がターゲットセルにおける少なくとも1つのSIB／システム情報ブロックグループのすべての格納された識別子と異なる場合、取得要求が、すべての更新されたSIB／システム情報ブロックグループを取得するために使用される。さらに別の可能な場合には、対応するリソース位置においてSIB／システム情報ブロックグループを取得するために、SIB／システム情報ブロックグループのスケジューリング情報がMSIから読み取られる。例えば、スケジューリング情報に基づき、SIB／システム情報ブロックグループがスケジューリング情報に対応するリソース位置において別のセルでブロードキャストされていることが分かる場合、UEはブロードキャストされたSIB／システム情報ブロックグループを受信し得る。
【００２１】
本出願のさらに別の態様は、端末デバイスを提供する。本端末デバイスは、前述の機能における端末デバイスの動作を実施する機能を有する。この機能は、ハードウェアを使用して実施され得るか、またはハードウェアが対応するソフトウェアを実行することによって実施され得る。ハードウェアまたはソフトウェアは、前述の機能に対応する1つまたは複数のモジュールを含む。
【００２２】
1つの可能な実施態様では、端末デバイスは、端末デバイスがターゲットセルに移動したときに、ターゲットセルに対応するネットワークデバイスから最小システム情報MSIメッセージを受信するように構成された受信部であって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、受信部と、ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、端末デバイスが、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得すること、またはターゲットセルにおける少なくとも1つのSIB／システム情報ブロックグループの識別子が、少なくとも1つのSIB／システム情報ブロックグループのすべての格納された識別子と異なる場合、端末デバイスが、ターゲットセルにおけるすべてのSIB／システム情報ブロックグループを取得すること、のうちの少なくとも1つを行うように構成された、取得部と、を含む。
【００２３】
別の可能な実施態様では、端末デバイスは、受信機と、送信機と、メモリと、プロセッサとを含み、メモリは1組のプログラムコードを格納し、プロセッサは、端末デバイスがターゲットセルに移動したときに、受信機を使用して、ターゲットセルに対応するネットワークデバイスから最小システム情報MSIメッセージを受信する動作であって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、動作、を行うために、メモリに格納されたプログラムコードを呼び出すように構成され、プロセッサは、ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得すること、またはターゲットセルにおける少なくとも1つのSIB／システム情報ブロックグループの識別子が、少なくとも1つのSIB／システム情報ブロックグループのすべての格納された識別子と異なる場合、ターゲットセルにおけるすべてのSIB／システム情報ブロックグループを取得すること、のうちの少なくとも1つを行うようにさらに構成される。
【００２４】
同じ発明概念に基づき、装置の問題解決原理および有益な効果については、端末デバイスの前述の可能な方法実施態様およびもたらされる有益な効果を参照されたい、したがって、装置の実施態様については、方法の実施態様を参照されたい。重複する部分は繰り返さない。
【００２５】
本出願のさらに別の態様は、コンピュータ可読記憶媒体を提供する。本コンピュータ可読記憶媒体は命令を格納し、命令がコンピュータ上で動作すると、コンピュータは前述の態様による方法を行う。
【００２６】
本出願のさらに別の態様は、命令を格納する通信チップを提供する。命令がネットワークデバイスまたは端末デバイス上で動作すると、コンピュータは前述の態様による方法を行う。
【００２７】
本出願のさらに別の態様は、命令を含むコンピュータプログラム製品を提供する。コンピュータ上で動作すると、コンピュータは前述の態様による方法を行う。
【００２８】
本発明の実施形態におけるまたは背景技術における技術的解決策をより明確に説明するために、以下で、本発明の実施形態または背景技術を説明するのに必要な添付の図面について簡単に説明する。
【図面の簡単な説明】
【００２９】
【図１】高周波数セルのエリア分布の概略図である。
【図２】本発明の一実施形態による通信システムの一例の概略的アーキテクチャ図である。
【図３】本発明の一実施形態によるシステム情報伝送方法の概略的インタラクション流れ図である。
【図４】エリア内の異なるバージョンの識別子の概略図である。
【図５】本発明の一実施形態による別のシステム情報伝送方法の概略的インタラクション流れ図である。
【図６】本発明の一実施形態によるネットワークデバイスのモジュールの概略図である。
【図７】本発明の一実施形態による端末デバイスのモジュールの概略図である。
【図８】本発明の一実施形態による別の端末デバイスのモジュールの概略図である。
【図９】本発明の一実施形態によるネットワークデバイス／端末デバイスのハードウェアアーキテクチャの概略図である。
【発明を実施するための形態】
【００３０】
以下では、本発明の実施形態における添付の図面に関連して本発明の実施形態を明確に説明する。
【００３１】
本発明の実施形態における通信システムは、ネットワークデバイスと端末デバイスとを含む。本通信システムは、グローバル・システム・フォー・モバイル・コミュニケーションズ（Global System of Mobile Communications、GSM（登録商標））、符号分割多元接続（Code Division Multiple Access、CDMA）システム、広帯域符号分割多元接続（Wideband Code Division Multiple Access、WCDMA（登録商標））システム、マイクロ波アクセスのための世界的相互運用性（Worldwide Interoperability for Microwave Access、WiMAX）、ロングタームエボリューション（long term evolution、LTE）システム5G通信システム（例えば、新無線（new radio、NR）システム）、複数の通信技術を統合した通信システム（例えば、LTE技術とNR技術を統合した通信システム）、または後続の進化型通信システムであり得る。
【００３２】
本発明の実施形態の端末デバイスは、無線通信機能を有するデバイスであり、無線通信機能を有するハンドヘルドデバイス、車載デバイス、ウェアラブルデバイス、コンピューティングデバイス、無線モデムに接続された別の処理デバイスなどであり得る。端末デバイスは、異なるネットワークでは異なる名前を有する場合があり、例えば、ユーザ機器（User Equipment、UE）、アクセス端末、加入者ユニット、加入者局、移動局、モバイルコンソール、リモート局、リモート端末、移動端末、ユーザ端末、端末、無線通信デバイス、ユーザエージェント、ユーザ装置、セルラー電話、コードレス電話、セッション開始プロトコル（Session Initiation Protocol、SIP）電話、ワイヤレスローカルループ（Wireless Local Loop、WLL）局、パーソナルデジタルアシスタント（Personal Digital Assistant、PDA）、または5Gネットワークや将来の進化型ネットワークにおける端末デバイスであり得る。
【００３３】
本発明の実施形態のネットワークデバイスは、無線アクセスネットワークに配置され、無線通信機能を提供するように構成されたデバイスであり、基地局（例えば、BTS（Base Transceiver Station、BTS）、ノードB（NodeB、NB）、進化型ノードB（Evolutional Node B、eNBもしくはeNodeB）、NRシステムにおける送信および受信点もしくは送受信点（transmission and reception point、TRPもしくはTP）、次世代ノードB（generation nodeB、gNB）、または将来の通信ネットワークにおける基地局もしくはネットワークデバイス）、中継ノード、アクセスポイント、車載デバイス、ウェアラブルデバイス、ワイヤレスフィデリティ（Wireless-Fidelity、Wi-Fi）サイト、ワイヤレスバックホールノード、スモールセル、マイクロ局などを含むが、これに限定されない。
【００３４】
具体的には、図2は、本発明の一実施形態による通信システムの一例の概略的アーキテクチャ図である。図2において、基地局102は複数のアンテナグループを含み得る。各アンテナグループは、1つまたは複数アンテナを含み得る。例えば、あるアンテナグループがアンテナ104とアンテナ106とを含み、別のアンテナグループはアンテナ108とアンテナ110とを含む場合もある。加えて、追加の群がさらに含まれる場合もあり、追加の群はアンテナ112とアンテナ114とを含み得る。高周波通信の異なるアンテナグループが異なるアンテナパネル（panel）へと組み合わされ得る。例えば、あるアンテナグループはある方向を指し示すビームを生成し、別のアンテナグループは別の方向を指し示す別のビームを生成する。異なるデバイス能力を達成するには、より多くのアンテナが必要とされ得る。したがって、異なるデバイス能力に応じて、追加の群は異なる数のアンテナを有するように設定され得る。例えば、図2に示されるように、各アンテナグループは2つのアンテナを有するが、各グループはより多いかまたはより少ないアンテナを使用してもよい。基地局102は、送信チェーンと受信チェーンとをさらに含んでいてもよく、当業者であれば、送信チェーンと受信チェーンの両方が、信号送信および信号受信に関連した複数の構成要素、例えば、プロセッサ、変調器、マルチプレクサ、復調器、デマルチプレクサ、またはアンテナを含み得ることを理解できよう。
【００３５】
基地局102は、1つまたは複数の端末デバイスと通信でき、例えば、端末デバイス116および端末デバイス122と通信し得る。しかしながら、基地局102は端末デバイス116や端末デバイス122と同様の任意の数の端末デバイスと通信し得ることが理解されよう。図2に示されるように、端末デバイス116はアンテナ112およびアンテナ114と通信する。アンテナ112およびアンテナ114は、順方向リンク118を介して端末デバイス116に情報を送信し、逆方向リンク120を介して端末デバイス116から情報を受信する。加えて、端末デバイス122は、アンテナ104およびアンテナ106と通信する。アンテナ104およびアンテナ106は、順方向リンク124を介して端末デバイス122に情報を送信し、逆方向リンク126を介して端末デバイス122から情報を受信する。周波数分割複信（Frequency Division Duplex、FDD）システムでは、例えば、順方向リンク118は逆方向リンク120によって使用される周波数帯域と異なる周波数帯域を使用し、順方向リンク124は逆方向リンク126と異なる周波数帯域を使用し得る。加えて、時間分割複信（Time Division Duplex、TDD）システムでは、順方向リンク118と逆方向リンク120とは同じ周波数帯域を使用し、順方向リンク124と逆方向リンク126とは同じ周波数帯域を使用し得る。
【００３６】
通信ように設計された各アンテナグループによってカバーされるエリアおよび／または各アンテナグループの送信によってカバーされるエリアは、基地局102のセクタと呼ばれる。例えば、アンテナグループは、基地局102のカバレッジ内のセクタにある端末デバイスと通信するように設計され得る。基地局102が順方向リンク118および順方向リンク124をそれぞれ介して端末デバイス116および端末デバイス122と通信するプロセスでは、基地局102の送信アンテナによるビームフォーミングによって順方向リンク118および順方向リンク124の信号対雑音比を改善することができる。加えて、基地局が、単一のアンテナを介して、基地局にアクセスするすべての端末デバイスに信号を送信する方法と比較して、基地局102が、ビームフォーミングによって、関連するカバレッジ内にランダムに分散した端末デバイス116および端末デバイス122に信号を送信する場合、近隣のセル内のモバイルノードが受ける干渉がより少ない。
【００３７】
所与のときに、基地局102、端末デバイス116、または端末デバイス122は、無線通信送信装置および／または無線通信受信装置であり得る。データを送信するとき、無線通信送信装置は、伝送のためにデータを符号化し得る。具体的には、無線通信送信装置は、チャネルを介して無線通信受信装置に送信されるべき特定の数のデータビットを取得でき、例えば、生成するか、別の通信装置から受信するか、またはメモリに格納できる。そのようなデータビットは、データのトランスポートブロックまたは複数のトランスポートブロックに含まれていてもよく、トランスポートブロックは複数のコードブロックを生成するようにセグメント化され得る。
【００３８】
本発明の実施形態における「システム」および「ネットワーク」という法語は区別なく使用され得ることに留意されたい。「複数の」とは2つ以上を意味し、これに照らして、「複数の」はまた、本発明の実施形態では「少なくとも2つの」としても理解され得る。「および／または」という用語は、関連付けられる対象を記述するための関連付け関係を記述し、3つの関係が存在し得ることを表す。例えば、Aおよび／またはBは、Aのみが存在する、AとBの両方が存在する、Bのみが存在する、という3つの場合を表し得る。加えて、文字「／」は一般に、関連付けられる対象間の「または」の関係を示す。
【００３９】
図3は、本発明の一実施形態によるシステム情報伝送方法の概略的インタラクション流れ図である。本方法は以下のステップを含む。
【００４０】
S101．ネットワークデバイスが最小システム情報メッセージをブロードキャストする。
【００４１】
本実施形態では、システム情報がシステム情報ブロック（SIB）を使用して編成され、各SIBが機能に関連したパラメータコンテンツを集約する。定義されたSIBには主に、（1）マスタ情報ブロック（Master Information Block、MIB）：UEがネットワークに最初にアクセスするときに必要とされる基本パラメータ、（2）SIB1：セルアクセスおよびセル選択に関連したパラメータ、別のSIBの時間領域スケジューリング情報、（3）SIB2：公衆無線リソース構成情報、（4）SIB3〜SIB8：周波数内、周波数間、およびRAT間のセル再選択を制御するために使用されるパラメータ、（5）ホーム基地局名、ならびに（6）SIB10〜SIB12：地震または津波警告メッセージなどが含まれる。MIBは物理ブロードキャストチャネル（Physical Broadcast Channel、PBCH）を使用して搬送され、送信期間は固定で40msである。SIB1は物理下り共有チャネル（Physical Downlink Shared Channel、PDSCH）を使用して搬送され、送信期間は固定で80msである。その他のSIBはシステム情報ブロックグループ（SI message）に含まれ、スケジューリングを介して送信される。各SI messageは1つまたは複数のSIBを含んでいてもよく、SI messageはPDSCHを使用して搬送され送信期間は構成可能であるので、システム情報はSI messageを使用して編成されるともみなされ得る。各SIBのパラメータコンテンツは通信システムによって異なっていてもよく、これについては本明細書では限定されない。
【００４２】
本実施形態では、UEによってネットワークにアクセスするために使用されるいくつかの最小限の最重要のシステム情報、例えば、MIB、SIB1、およびSIB2がMSI（Minimum SI）として使用され、周期的にブロードキャストされ送信される。他のシステム情報は要件に従ってOSI（Other SI）として送信され、いくつかのOSIの送信はUEの要求でスケジュールされる必要があり、その他のOSIの送信は、システムリソースを節約するために、ネットワーク側でトリガされる。MIB、SIB1、SIB2などの最小システム情報ブロックが1つのメッセージでブロードキャストされ、1つのMSIメッセージがこれらの最小システム情報ブロックを含むとみなされ得る。
【００４３】
5Gなどの次世代移動通信システムでは、高周波数セルのカバレッジが比較的小さく、高周波数セルはカバレッジを確保するために非常に密に分布する必要がある。特定のエリアで移動するときに、UEは異なる高周波数セル間で非常に頻繁にハンドオーバする。特定のエリア内の高周波数セルのシステム情報のコンテンツの大部分は同じである。UEがセルに入るたびにUEがすべてのシステム情報を再取得する必要がある場合、ネットワークに過度の負荷が発生する。したがって、MSIメッセージは1つまたは複数のSIB／SI messageの識別情報を含み、SIB／SI messageはMSIおよびOSIを含み得るか、またはOSIだけを含み得る。さらに、各SIB／SI messageの識別情報は、SIB／SI messageの識別子と識別子のタイプ指示とを含む。識別子は、例えば、SIB／SI messageのインデックス、すなわちIndexである。以下の記述では識別子がIndexである例を説明に使用する。Indexは、特定のエリアにおいて各SIB／SI Messageのバージョンを識別するために使用される（SIB／SI MessageのバージョンはSIB／SI Messageの特定のパラメータ構成に対応する）。識別子のタイプ指示は、SIB／SI messageの識別子のタイプがエリア固有のシステム情報識別子（Area specific Index）またはセル固有のシステム情報識別子（Cell specific Index）であることを指示するために使用される。このようにして、UEはセルに入るとまずブロードキャストされたMSIメッセージからIndexを読み取り、Indexに対応するシステムメッセージバージョンがUEによってすでに格納されている場合、UEはそのIndexに対応するシステム情報のコンテンツを再取得する必要がない。
【００４４】
具体的な実施に際して、ネットワークはエリアにまず分割され、エリア内の各セルのシステム情報が識別される。大部分の同じシステム情報を有する近隣のセルのグループが1つのエリアに分割されてもよく、または位置登録エリア（Tracking Area、TA）が本実施形態におけるエリアとして使用されてもよい。エリア分割は本実施形態では限定されない。加えて、特定の範囲内のエリアが識別されてもよい。識別子はエリア識別子を含むことができ、例えば、エリア識別子はエリアのインデックス番号であってもよく、インデックス番号は具体的には、番号（system information Area id）：1、2、…、またはN（Nは正の整数）であり得る。特定の範囲を超えるエリア番号は、1つのエリア内のセルにおけるシステム情報のエリア識別子（Area id）が同じであれば、繰り返されてもよく、近隣のエリア（または比較的近いエリア）のArea idは異なる。1つのエリア内のシステム情報の番号を繰り返すことはできず、異なるエリア内のシステム情報の番号は繰り返され得る。
【００４５】
識別されたシステム情報は単一のSIBまたは複数のSIBの組み合わせ（SI message）であってもよく、具体的には、各SIBが1つのIndexに対応するかまたは各SI messageが1つのIndexに対応する。エリア内のSIB／SI messageは異なるバージョンを有し得る（異なるパラメータコンテンツを含み得る）。例えば、図4に示されるエリア内の異なるバージョンの識別子の概略図では、エリア1（Area 1）内のCell1およびCell2のSIBxは同じバージョン／同じコンテンツを有し、識別子Index1に対応し、Cell3のSIBxはCell1およびCell2のSIBxと異なるバージョンを有し、識別子Index2に対応する。したがって、異なるセルのSIBxは異なるIndexに対応する。エリア2（Area 2）には、エリア1のものと同じであるSIBxのIndexがある。異なるエリア内のIndexは繰り返し付番され得るので、エリア2内とエリア1内の同じIndexが異なるバージョンのSIBxに対応し、具体的には、異なるパラメータコンテンツに対応する場合がある。
【００４６】
しかしながら、あるエリア内のSIB／SI messageについて、いくつかのバージョンがそのエリア内の複数のセルに存在する場合があり、その他のバージョンはそのエリア内の単一のセルのみに適用され、例えば、図4のエリア1のSIBxでは、SIBx-Index1のバージョンを両方のセル、すなわちCell1とCell2で使用することができるが、SIBx-Index2のバージョンは1つのセル、すなわちCell3でしか使用することができない。本発明の本実施形態では、エリア内の複数のセルで使用できるSIB／SI messageのバージョンをArea specific SIB／SI messageと呼び、エリア内の1つのセルでのみ使用できるSIB／SI messageのバージョンをCell specific SIB／SI messageと呼ぶ。Area specific SIB／SI messageとCell specific SIB／SI messageとは別々に付番され、具体的には、各SIB／SI messageのArea specificバージョンはArea specific Indexを使用して付番され、各SIB／SI messageのCell specificバージョンはCell specific Indexを使用して付番され、Area specific SIB／SI messageまたはCell specific SIB／SI messageの識別情報を形成するために、IndexがArea specific IndexかそれともCell specific Indexかを指示する1bitが追加される。次いで、1つまたは複数の識別情報がMSIメッセージに入れられ、ブロードキャストされる（具体的には、MSIメッセージの最小システム情報ブロックで搬送され、例えば、SIB1で搬送される）。
【００４７】
したがって、SIB／SI MessageのArea specificバージョンとCell specificバージョンとがIndexを使用してそれぞれ付番され、各SIB／SI Messageのそれら2つの異なるIndexに固定ビット数がそれぞれ設定され得る。すべてのSIB／SI MessageのArea specific Indexは同数のビットまたは異なる数のビットを占有し得る。同様に、すべてのSIB／SI MessageのCell specific Indexは同数のビットまたは異なる数のビットを占有し得る。通常、Area specific IndexとCell specific Indexとは対応して異なる数のビットを占有し得る。このようにして、いくつかのArea specific Indexはより長くなり得るので、必要なビットがより多く、いくつかのCell specific Indexはより短くなり得るので、必要なビットがより少ない。識別子のタイプに基づいて異なるビットに対応することによって識別情報の長さを縮めることができ、それによってネットワークデバイスがMSIメッセージをブロードキャストするために必要とするネットワークリソースオーバーヘッドが削減される。加えて、IndexがArea specific IndexかそれともCell specific Indexかを指示するために、1bitの指示ビットがIndexの前に付加される。識別情報は構造パラメータ（SIB／SI message Index structure）であり得る。SIB／SI message Index structure全体は動的に調整されるワード長、例えば、以下に示されるSIB／SI message Index structureを有し得る。
【００４８】
【表１】
0006929967.tif 000002
【００４９】
MSIメッセージは各SIB／SI messageの識別情報を含み得る（当然ながら、MSIメッセージはすべてのSIB／SI messageの識別情報を含まない場合もあり、例えば、SIB10〜12は、UEによって能動的に取得される必要がないSIBであり、SIB10〜12の識別情報はMSIメッセージに含まれない場合があり、MSI内の、PBCHを使用して送信されるある識別情報がMSIメッセージに含まれない場合があり、MSI内の、PDSCHを使用して送信されるある識別情報がMSIメッセージに含まれない場合がある）。
【００５０】
各SIB／SI Messageの識別情報は、IndexがArea specific IndexかそれともCell specific Indexかを指示するために使用される、1bitの指示ビットFを含み、SIB／SI Messageの識別情報はIndexをさらに含み、IndexはArea specific IndexまたはCell specific Indexであり得る。
【００５１】
任意選択で、各SIB／SI Messageの識別情報は、セルがSIB／SI messageをサポートするかどうかを指示するために使用される、1bitの指示ビットOをさらに含んでいてもよい。いくつかのセルではSIB／SI Messageがサポートされないことを考慮して、指示ビットが定義され得る。当然ながら、指示ビットは定義されない場合もあり、デフォルトではSIB／SI Message Index structure内の各SIB／SI Messageがすべてのセルでサポートされる。
【００５２】
さらに、SIB／SI messageの識別情報は、次のSIB／SI messageの識別情報があるかどうかを指示するために使用される、1bitの指示ビットEをさらに含み得る。指示ビットは任意選択であり得る。指示ビットが存在しない場合、MSIメッセージは固定数のSIB／SI messageの識別情報を含んでいてもよく、ネットワークデバイスはUEに識別情報の数を通知し得る。UEは固定数のSIB／SI messageの識別情報を読み取る。
【００５３】
加えて、MSIメッセージ内のSIB／SI Messageの識別情報は定められた順序で配列され得る。UEがSIB／SI Message Index structureを読み取る動作手順は以下のとおりである。UEは各SIB／SI Messageの識別情報を順次に読み取る。指示ビットOが存在する場合、UEはまず、指示ビットO（0または1）に基づき、SIB／SI Messageがセルに存在するかどうかを判定する。指示ビットOが、SIB／SI Messageが存在しないことを指示する場合、UEは指示ビットFを読み取る必要がなく、デフォルトで、SIB／SI Messageに対応するIndexは0bitのものであるとみなす。指示ビットOが、SIB／SI Messageがセルに存在することを指示する場合、UEは、指示ビットF（0または1）に基づき、SIB／SI MessageがArea specific SIB／SI MessageかそれともCell specific SIB／SI Messageかを判定する。SIB／SI MessageがArea specific SIB／SI Messageである場合、UEは、Indexの長さがSIB／SI MessageのArea specificバージョンの固定ビット数であるとみなし、固定ビット数のIndexを読み取る。SIB／SI MessageがCell specific SIB／SI Messageである場合、UEは、Indexの長さがSIB／SI MessageのCell specificバージョンの固定ビット数であるとみなし、固定ビット数のIndexを読み取る。加えて、指示ビットOが存在しない場合、UEは、指示ビットF（0または1）に基づき、SIB／SI MessageがArea specific SIB／SI MessageかそれともCell specific SIB／SI Messageかを直接判定し、Indexの長さを決定し、決定したビット数に基づいてIndexを読み取る。指示ビットEが存在する場合、UEはさらに指示ビットEを読み取る必要があり、指示ビットE（0または1）に基づき、次の識別情報を読み取るかどうかを判定する。指示ビットEが存在しない場合、UEは、読み取った識別情報の数と、MSIメッセージに含まれるSIB／SI Messageの識別情報の数とに基づき、次の識別情報があるかどうかを判定する。
【００５４】
各識別情報中の指示ビットO、指示ビットF、Index、および指示ビットEは、任意の配列順および読み取り順で配列され、読み取られ得る。
【００５５】
本実施形態では、ネットワークデバイスは、MSIメッセージでSIB／SI Messageの識別情報をブロードキャストし、SIB／SI MessageのArea specificバージョンとCell specificバージョンとを別々に識別し、具体的には、識別情報は識別子のタイプに基づいて異なる識別子を含むので、識別情報の長さを調整することができ、それによってネットワークリソースオーバーヘッドが削減される。
【００５６】
高周波数セルごとに、セルにおける各SIB／SI Messageの識別情報がMSIでブロードキャストされ、セルに対応するArea idがさらにブロードキャストされ得る。UEがセルに入るたびに、UEはセルにおける各SIB／SI Messageの識別情報を取得し、次いでセルにおける各SIB／SI Messageの識別情報を格納し得る。UEによって格納されるコンテンツには、セルのセル識別子（例えば、Cell idまたは物理セル識別子（Physical Cell Identifier、PCI））、セルに対応するArea id、セルにおける各SIB／SI Messageの識別情報が含まれる。SIB／SI Messageの識別情報がUEによって格納されるべきであるセルの数はUEによって決定され、UEのメモリサイズに依存し得る。したがって、UEが高周波数セルに入るたびに、UEはセルの識別子を取得し、MSIメッセージから、ブロードキャストされるArea idとSIB／SI Messageの識別情報を読み取ることができる。UEは、UEがセルにおける各SIB／SI Messageの識別情報を格納するかどうかに基づき、取得される必要があるSIB／SI Messageをさらに決定し得る。
【００５７】
本発明の本実施形態で提供されるシステム情報伝送方法によれば、ネットワークデバイスは、システム情報ブロック／システム情報ブロックグループの識別情報を最小システム情報メッセージにおいてブロードキャストし、識別子のタイプに基づいて異なる識別子に対応する識別情報が含まれ、それによってネットワークリソースオーバーヘッドが削減される。
【００５８】
図5は、本発明の一実施形態による別のシステム情報伝送方法の概略的インタラクション流れ図である。本方法は以下のステップを含む。
【００５９】
S201．ネットワークデバイスが最小システム情報MSIメッセージをブロードキャストする。
【００６０】
このステップは、図3に示される実施形態におけるステップS101と同じであり、ここでは詳細を繰り返さない。
【００６１】
S202．端末デバイスが、SIB／システム情報ブロックグループの識別情報中の各SIB／システム情報ブロックグループの識別子のタイプを取得し、SIB／システム情報ブロックグループのものである、識別子のタイプに対応するビット数で指示される識別子を取得し、識別子のビット数が識別子のタイプに対応する。
【００６２】
このステップについては、図3に示される実施形態においてUEがSIB／SI Message Index structureを読み取る動作手順を参照されたい。
【００６３】
加えて、別の実施態様では、SIB／SI Message Index structureに含まれる各SIB／SI Messageの識別情報が独立パラメータとして使用され得るので、UEは、上述した動作手順のように各SIB／SI Messageの識別情報を取得するためにSIB／SI Message Index structure中の各SIB／SI Messageの識別情報を順次に読み取らずに、SIB／SI Messageの識別情報をランダムに取得し得る。各SIB／SI MessageのIndex構造は以下のとおりである。
【００６４】
【表２】
0006929967.tif 000003
【００６５】
前述の実施形態との違いは、次のSIB／SI Messageの識別情報があるかどうかを指示するためにSIB／SI Message Index structureにおいて指示ビットEが定義される必要がないという点にある。SIB／SI Message Index structure中のIndexに含まれる各指示ビットおよびコンテンツは前述の実施形態のものと同じであり、UEの読み取り手順も、前述の実施形態においてUEがSIB／SI Message Index structureを読み取る動作手順と基本的に同じである。
【００６６】
UEはSIB／SI Messageの識別情報を読み取る。指示ビットOが存在する場合、UEはまず、指示ビットO（0または1）に基づき、SIB／SI Messageがセルに存在するかどうかを判定する。SIB／SI Messageがセルに存在しない場合、UEは指示ビットFを読み取る必要がなく、デフォルトで、SIB／SI Messageに対応するIndexは0bitのものであるとみなす。指示ビットOが、SIB／SI Messageがセルに存在することを指示する場合、UEは、指示ビットF（0または1）に基づき、SIB／SI MessageがArea specific SIB／SI MessageかそれともCell specific SIB／SI Messageかを判定する。SIB／SI MessageがArea specific SIB／SI Messageである場合、UEは、Indexの長さがSIB／SI MessageのArea specificバージョンの固定ビット数であるとみなし、固定ビット数のIndexを読み取る。SIB／SI MessageがCell specific SIB／SI Messageである場合、UEは、Indexの長さがSIB／SI MessageのCell specificバージョンの固定ビット数であるとみなし、固定ビット数のIndexを読み取る。指示ビットOが存在しない場合、UEは、指示ビットF（0または1）に基づき、SIB／SI MessageがArea specific SIB／SI MessageかそれともCell specific SIB／SI Messageかを直接判定し、Indexの長さを決定し、決定したビット数に基づいてIndexを読み取る。
【００６７】
SIB／SI Message Index structureに含まれる各SIB／SI Messageの識別情報が独立パラメータとして使用される具体的な実施態様は以下のとおりであり得る。各SIB／SI Messageの識別情報は固定された時間周波数リソース位置に位置し（固定された時間周波数リソース位置は絶対的ではない場合もある）、時間周波数リソース位置は、メッセージ／パラメータの時間周波数リソース位置に対して固定された時間周波数リソース、例えば、メッセージからの時間領域のn個のOFDMシンボルの距離や、メッセージからの周波数領域のm個のサブキャリアの距離（mおよびnは正の整数）であってもよく、またはSIB／SI Messageの（PDSCHを使用して搬送される）識別情報は、異なるDCI（Downlink Control Information）を使用してスケジュールされ、指示される。前述の具体的な実施態様は単なる一例であり、これは具体的な実施に際してこれに限定されない。このようにして、UEは各SIB／SI Messageの識別情報を別々に読み取ることができる。
【００６８】
別の実施態様では、MSIメッセージは、OSIスケジューリング情報（schedulingInfoListであり得る）をさらに含み得る。スケジューリング情報はSIB／SI Messageごとのスケジューリング情報を含んでいてもよく、SIB／SI Messageごとのスケジューリング情報は特定の定められた順序で全スケジューリング情報において配列される。したがって、様々なOSIの識別情報の配列順が、スケジューリング情報中の様々なOSIのスケジューリング情報の配列順と同じであり得る。MSI中のSIBもIndexを使用して付番される必要がある場合、MSIの識別情報はOSIの識別情報の前に順に配列される。したがって、各SIB／SI Messageの識別情報のフォーマットを以下に示す。
【００６９】
【表３】
0006929967.tif 000004
【００７０】
本実施態様では、スケジューリング情報は、他のシステム情報ブロック／他のシステム情報ブロックグループの識別情報の数および／または配列順を指示するので、SIB／SI Messageの識別情報は指示ビットFおよびIndexのコンテンツを含み得る。指示ビットFは、SIB／SI MessageがArea specific SIB／SI MessageかそれともCell specific SIB／SI Messageかを指示するために使用される。Indexのコンテンツは、前述の実施形態の説明のものと同じである。
【００７１】
UEが各SIB／SI Messageの識別情報を読み取る動作手順は以下のとおりである。UEはまず、MSIメッセージに含まれるOSIのスケジューリング情報に基づき、その識別情報がSIB／SI Message Index structureに存在するOSIの総数と、SIB／SI Messageの識別情報の配列順を知る。次いでUEは、SIB／SI Message Index structureからSIB／SI MessageのIndexを順次に読み取る。UEは、指示ビットF（0または1）に基づき、SIB／SI MessageがArea specific SIB／SI MessageかそれともCell specific SIB／SI Messageかを判定する。SIB／SI MessageがArea specific SIB／SI Messageである場合、UEは、Indexの長さがSIB／SI MessageのArea specificバージョンの固定ビット数であるとみなし、固定ビット数のIndexを読み取る。SIB／SI MessageがCell specific SIB／SI Messageである場合、UEは、Indexの長さがSIB／SI MessageのCell specificバージョンの固定ビット数であるとみなし、固定ビット数のIndexを読み取る。
【００７２】
S203．端末デバイスが、ターゲットセルにおける少なくとも1つのSIB／システム情報ブロックグループの識別子が少なくとも1つのSIB／システム情報ブロックグループの格納された識別子と同じであるかどうかを判定するために、ターゲットセルにおける少なくとも1つのSIB／システム情報ブロックグループの識別子にタイプに基づき、ターゲットセルにおける少なくとも1つのセル固有のシステム情報の識別子とターゲットセルにおける少なくとも1つのセル固有のシステム情報の格納された識別子、およびターゲットセルにおける少なくとも1つのエリア固有のシステム情報の識別子とエリア内のセルにおける少なくとも1つのエリア固有のシステム情報の格納された識別子をそれぞれ比較する。
【００７３】
ターゲットセルにおけるSIB／SI Messageの識別子がSIB／SI Messageのものである、UEによって格納された識別子と同じであるかどうかは、UEがターゲットセルにおけるSIB／SI Messageを格納するかどうかを決定するために、SIB／SI Messageの識別情報のタイプに基づいて判定される。具体的には、Cell specific SIB／SI messageについては、UEは、UEがセル識別子に対応するSIB／SI messageを格納しているかどうかを判定し得る。UEがセル識別子に対応するSIB／SI Messageをすでに格納している場合、UEは、ターゲットセルにおけるCell specific SIB／SI Messageの識別子が、ターゲットセルにおけるCell specific SIB／SI messageのものである、UEによって格納されている識別子と同じであるかどうかを比較によってさらに判定する。同じIndexが存在する場合、UEは同じIndexに対応するCell specific SIB／SI messageを再取得する必要がなく、UEはそれらのIndexと異なるIndexに対応するCell specific SIB／SI messageを取得しさえすればよい。Area specific SIB／SI messageについては、UEは、Area idに対応するArea specific SIB／SI messageが格納されているかどうかを判定し得る。UEがArea idに対応するArea specific SIB／SI messageをすでに格納している場合、UEは、ターゲットセルにおけるArea specific SIB／SI messageのIndexがArea idに対応するArea specific SIB／SI messageのものである、UEによって格納されているIndexと同じであるかどうかをさらに判定する。Area specific SIB／SI messageの同じIndexが存在する場合、UEは同じIndexに対応するSIB／SI messageを再取得する必要がなく、UEはそれらのIndexと異なるIndexに対応するArea specific SIB／SI messageを取得しさえすればよい。
【００７４】
S204．端末デバイスが、
ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、端末デバイスが、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するステップ、またはターゲットセルにおける少なくとも1つのSIB／システム情報ブロックグループの識別子が、少なくとも1つのSIB／システム情報ブロックグループのすべての格納された識別子と異なる場合、端末デバイスが、ターゲットセルにおけるすべてのSIB／システム情報ブロックグループを取得するステップ、のうちの少なくとも1つをさらに行う。
【００７５】
ターゲットセルにおけるSIB／SI messageの識別子がSIB／SI messageのものである、UEによって格納された識別子と同じであるかどうかは、ステップS203によって判定される。判定結果に基づき、ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、端末デバイスは、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するか、またはターゲットセルにおける少なくとも1つのSIB／システム情報ブロックグループの識別子が、少なくとも1つのSIB／システム情報ブロックグループのすべての格納された識別子と異なる場合、端末デバイスは、ターゲットセルにおけるすべてのSIB／システム情報ブロックグループを取得する。ターゲットセルにおける少なくとも1つのSIB／システム情報ブロックグループの識別子が、エリア内のセルにおける少なくとも1つのSIB／システム情報ブロックグループのものである、端末デバイスによって格納されているすべての識別子と同じである場合、端末デバイスは少なくとも1つのSIB／システム情報ブロックグループを取得する必要がなく、端末デバイスは取得する動作を行う必要がないことに留意されたい。
【００７６】
UEによって取得される必要があるSIB／SI messageについては、1つの可能な場合、SIB／SI messageがMSIである場合には、UEはブロードキャストされたMSIメッセージからSIB／SI messageを読み取る。別の可能な場合、SIB／SI messageがOSIである場合には、UEは、SIB／SI messageを取得するためにネットワークデバイスにSI取得要求を送信してもよく、ネットワークデバイスはUEから取得要求を受信する。少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、取得要求は、少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するために使用されるか、または少なくとも1つのSIB／システム情報ブロックグループの識別子が、少なくとも1つのSIB／システム情報ブロックグループのすべての格納された識別子と異なる場合、取得要求はすべてのSIB／システム情報ブロックグループを取得するために使用される。さらに別の可能な場合には、対応するリソース位置においてSIB／SI messageを取得するために、SIB／SI messageのスケジューリング情報がMSIから読み取られる。例えば、スケジューリング情報に基づき、SIB／SI messageがスケジューリング情報に対応するリソース位置においてそのセルでブロードキャストされていることが分かる場合、UEはブロードキャストされたSIB／SI messageを受信し得る。
【００７７】
端末デバイスによって取得されるSIB／SI messageは、端末デバイスによって取得される必要があるSIB／SI messageであるべきであり、端末デバイスによって格納された識別子と端末デバイスによって比較されるターゲットセルにおけるSIB／SI messageの識別子に対応するSIB／SI messageも端末デバイスによって取得される必要があるSIB／SI messageであるべきであることに留意されたい（というのは、端末デバイスによって取得される必要があるother SIはプロトコルで定義されており、いくつかのother SIは端末デバイスによって取得されない可能性もあるので）。
【００７８】
結論として、ネットワークデバイスは、システム情報ブロック／システム情報ブロックグループの識別情報を最小システム情報メッセージにおいてブロードキャストし、識別子のタイプに基づいて異なる識別子に対応する識別情報が含まれ、識別子によって占有されるビットの数が識別子のタイプに対応し、それによってネットワークシステムリソースが節約され、端末デバイスは、端末デバイスによって格納されていないシステム情報ブロック／システム情報ブロックグループを取得するために、識別子のタイプに基づいて取得される必要がある識別子を決定し、それによってネットワークシステムリソースがさらに節約される。
【００７９】
さらに、端末デバイスがターゲットセルにキャンプオンする場合、ターゲットセルにおけるSIB／SI Messageは更新され得る。したがって、一実施態様では、端末デバイスが少なくとも1つのSIB／システム情報ブロックグループを取得した後に、本方法は以下のステップ（図示されない）、すなわち、
端末デバイスがネットワークデバイスからSIB／システム情報ブロックグループの更新指示を受信するときに、端末デバイスが、少なくとも1つの更新されたSIB／システム情報ブロックグループの識別子を取得するために、ネットワークデバイスからMSIメッセージを受信するステップと、
少なくとも1つの更新されたSIB／システム情報ブロックグループの識別子が、ターゲットセルにおける少なくとも1つのSIB／システム情報ブロックグループのものである、端末デバイスによって格納されている識別子と部分的に同じである場合、端末デバイスが、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するステップ、または
少なくとも1つの更新されたSIB／システム情報ブロックグループの識別子がターゲットセルにおける少なくとも1つのSIB／システム情報ブロックグループのすべての格納された識別子と異なる場合、端末デバイスが、すべての更新されたSIB／システム情報ブロックグループを取得するステップとをさらに含み得る。
【００８０】
具体的な実施に際して、1つの可能な場合には、更新指示はページングメッセージ（paging message）であり得る。しかしながら、更新指示を受信した後、UEは更新されたSIB／SI Messageのことを知らない。UEはネットワークデバイスによってブロードキャストされたMSIメッセージを受信する。MSIメッセージは更新されたSIB／SI Messageの識別情報を含む。次いでUEは、UEがターゲットセルにおける更新されたSIB／SI Messageを格納しているかどうかを判定するために、SIB／SI Messageの識別情報のタイプに基づき、ターゲットセルにおける更新されたSIB／SI Messageの識別子が、SIB／SI Messageのものである、UEによって格納されている識別子と同じであるかどうかを判定する。Cell specific SIB／SI messageでは、UEは、ターゲットセルにおける更新されたCell specific SIB／SI Messageの識別子が、ターゲットセルにおけるCell specific SIB／SI Messageのものである、UEによって格納されている識別子と同じであるかどうかを比較によって判定する。同じIndexが存在する場合、UEは同じIndexに対応するCell specific SIB／SI messageを再取得する必要がなく、UEはそれらのIndexと異なるIndexに対応するCell specific SIB／SI messageを取得しさえすればよい。Area specific SIB／SI messageでは、UEは、Area idに対応する更新されたArea specific SIB／SI messageが格納されているかどうかを判定し得る。UEがArea idに対応するArea specific SIB／SI messageをすでに格納している場合、UEは、ターゲットセルにおける更新されたArea specific SIB／SI messageのIndexがArea idに対応するArea specific SIB／SI messageのものである、UEによって格納されているIndexと同じであるかどうかをさらに判定する。Area specific SIB／SI messageの同じIndexが存在する場合、UEは同じIndexに対応するSIB／SI messageを再取得する必要がなく、UEはそれらのIndexと異なるIndexに対応する更新されたArea specific SIB／SI messageを取得しさえすればよい。
【００８１】
別の可能な場合には、paging messageは、1つの更新されたSIB／SI Messageまたは複数の更新されたSIB／SI Messageを指示するために使用され得る。UEが更新されたSIB／SI Messageを指示するシステム情報更新指示を受信した後、UEはMSIメッセージから更新されたSIB／SI MessageのIndexをまず取得する（1つの取得方法では、MSIメッセージは独立したSIB／SI Message識別情報を搬送するので、UEはすべてのSIB／SI Messageの識別情報を取得する必要がない、別の取得方法では、MSIメッセージはSIB／SI Messageの識別情報を含み、UEはすべてのSIB／SI Messageの識別情報を順次に読み取り、次いで更新されたSIB／SI MessageのIndexを取得する）。次いでUEは、Indexに対応するバージョンがすでに格納されているかどうかを判定し、判定方法は、前述の判定と同じであり、よって格納されているIndexに対応するSIB／SI messageが再取得される必要はない。UEが、格納されていないSIB／SI messageを取得するステップについては、一実施態様では、SIB／SI messageがMSIである場合、UEはブロードキャストされたMSIメッセージからSIB／SI messageを読み取る。別の実施態様では、SIB／SI messageがOSIである場合には、UEは、SIB／SI messageを取得するためにネットワークデバイスにSI取得要求を送信してもよく、ネットワークデバイスはUEから取得要求を受信する。少なくとも1つの更新されたSIB／システム情報ブロックグループの識別子が、ターゲットセルにおける少なくとも1つのSIB／システム情報ブロックグループのものである、端末デバイスによって格納されている識別子と部分的に同じである場合、取得要求は、少なくとも1つの更新されたSIB／システム情報ブロックグループの識別子内の、ターゲットセルにおける少なくとも1つのSIB／システム情報ブロックグループの格納された識別子と異なる識別子に対応する少なくとも1つのSIB／システム情報ブロックグループを取得するために使用され、または少なくとも1つの更新されたSIB／システム情報ブロックグルー
プの識別子がターゲットセルにおける少なくとも1つのSIB／システム情報ブロックグループのすべての格納された識別子と異なる場合、取得要求はすべての更新されたSIB／システム情報ブロックグループを取得するために使用される。さらに別の実施態様では、対応するリソース位置においてSIB／SI messageを取得するために、SIB／SI messageのスケジューリング情報がMSIから読み取られる。例えば、スケジューリング情報に基づき、SIB／SI messageがスケジューリング情報に対応するリソース位置において別のセルでブロードキャストされていることが分かる場合、UEはブロードキャストされたSIB／SI messageを受信し得る。
【００８２】
同様に、UEによって取得される必要があるSIB／SI messageについては、SIB／SI messageがMSIである場合、UEはブロードキャストされたMSIメッセージからSIB／SI messageを読み取り、またはSIB／SI messageがOSIである場合、UEは、SI要求を送信することによってSIB／SI messageを取得するか、もしくはMSIにおけるSIB／SI messageのスケジューリング情報を読み取って、対応するリソース位置においてSIB／SI messageを取得する。
【００８３】
本発明の本実施形態におけるシステム情報伝送方法によれば、ネットワークデバイスは、システム情報ブロック／システム情報ブロックグループの識別情報を最小システム情報メッセージにおいてブロードキャストし、識別子のタイプに基づいて異なる識別子に対応する識別情報が含まれ、識別子によって占有されるビットの数が識別子のタイプに対応し、それによってネットワークシステムリソースが節約され、端末デバイスは、識別子のタイプに基づいて、取得されるべき識別子を決定し、端末デバイスがターゲットセルに移動するか、またはシステム情報ブロック／システム情報ブロックグループの更新指示を受信すると、端末デバイスは、ネットワークデバイスから、端末デバイスによって格納されていないシステム情報ブロック／システム情報ブロックグループを取得し、それによってネットワークシステムリソースがさらに節約される。
【００８４】
本発明の実施形態における方法については以上で詳細に説明されており、以下では本発明の一実施形態の装置を示す。
【００８５】
図6は、本発明の一実施形態によるネットワークデバイスのモジュールの概略図である。ネットワークデバイスは上述した通信システムに適用される。ネットワークデバイス1000は送信部11を含むことができ、受信部12をさらに含み得る（図では接続が破線で示されている）。
【００８６】
送信部11は、最小システム情報MSIメッセージをブロードキャストし、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、ように構成される。
【００８７】
一実施態様では、識別子のビット数が識別子のタイプに対応する。
【００８８】
別の実施態様では、各SIB／システム情報ブロックグループの識別情報は、以下の情報、すなわち、次のSIB／システム情報ブロックグループの識別子があるかどうかを指示する指示、およびセルがシステム情報をサポートするかどうかを指示する指示のうちの少なくとも1つをさらに含む。
【００８９】
さらに別の実施態様では、MSIメッセージは、少なくとも1つの他のシステム情報ブロック／他のシステム情報ブロックグループのスケジューリング情報をさらに含み、他のシステム情報ブロック／他のシステム情報ブロックグループは、最小システム情報ブロック／最小システム情報ブロックグループ以外のSIB／システム情報ブロックグループである。
【００９０】
さらに別の実施態様では、スケジューリング情報は、少なくとも1つの他のシステム情報ブロック／他のシステム情報ブロックグループの識別情報の数および／または配列順を指示するためにさらに使用される。
【００９１】
さらに別の実施態様では、受信部12は、端末デバイスから少なくとも1つのSIB／システム情報ブロックグループを求める取得要求を受信し、少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、取得要求が、少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するよう要求するために使用され、少なくとも1つのSIB／システム情報ブロックグループの識別子が、少なくとも1つのSIB／システム情報ブロックグループのすべての格納された識別子と異なる場合、取得要求が、すべてのSIB／システム情報ブロックグループを取得するよう要求するために使用される、ように構成される。
【００９２】
送信部11は、少なくとも1つの要求されたSIB／システム情報ブロックグループを端末デバイスに送信するようにさらに構成される。
【００９３】
本発明の本実施形態で提供されるネットワークデバイスによれば、ネットワークデバイスは、システム情報ブロック／システム情報ブロックグループの識別情報を最小システム情報メッセージにおいてブロードキャストし、識別子のタイプに基づいて異なる識別子に対応する識別情報が含まれ、それによってネットワークリソースオーバーヘッドが削減される。
【００９４】
図7は、本発明の一実施形態による端末デバイスのモジュールの概略図である。端末デバイスは上述した通信システムに適用される。端末デバイス2000は、受信部21と第1の取得部22とを含み得る。
【００９５】
受信部21は、端末デバイスがターゲットセルに移動したときに、ターゲットセルに対応するネットワークデバイスから最小システム情報MSIメッセージを受信し、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、ように構成される。
【００９６】
第1の取得部22は、ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するか、またはターゲットセルにおける少なくとも1つのSIB／システム情報ブロックグループの識別子が、少なくとも1つのSIB／システム情報ブロックグループのすべての格納された識別子と異なる場合、ターゲットセルにおけるすべてのSIB／システム情報ブロックグループを取得する、ように構成される。
【００９７】
本発明の本実施形態で提供される端末デバイスによれば、端末デバイスは、システム情報ブロック／システム情報ブロックグループのものである、最小システム情報メッセージでネットワークデバイスによってブロードキャストされた識別情報を受信し、識別子のタイプに基づいて異なる識別子に対応する識別情報が含まれ、それによってネットワークリソースオーバーヘッドが削減される。
【００９８】
図8は、本発明の一実施形態による別の端末デバイスのモジュールの概略図である。端末デバイスは上述した通信システムに適用される。端末デバイス3000は、受信部31と、第2の取得部32と、判定部33と、第1の取得部34とを含み得る。
【００９９】
受信部31は、端末デバイスがターゲットセルに移動したときに、ターゲットセルに対応するネットワークデバイスから最小システム情報MSIメッセージを受信し、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、ように構成される。
【０１００】
第2の取得部32は、SIB／システム情報ブロックグループの識別情報中の各SIB／システム情報ブロックグループの識別子のタイプを取得し、SIB／システム情報ブロックグループのものである、識別子のタイプに対応するビット数で指示される識別子を取得し、識別子のビット数が識別子のタイプに対応する、ように構成される。
【０１０１】
判定部33は、ターゲットセルにおける少なくとも1つのSIB／システム情報ブロックグループの識別子が少なくとも1つのSIB／システム情報ブロックグループの格納された識別子と同じであるかどうかを判定するために、ターゲットセルにおける少なくとも1つのSIB／システム情報ブロックグループの識別子のタイプに基づき、ターゲットセルにおける少なくとも1つのセル固有のシステム情報の識別子とターゲットセルにおける少なくとも1つのセル固有のシステム情報の格納された識別子、およびターゲットセルにおける少なくとも1つのエリア固有のシステム情報の識別子とエリア内のセルにおける少なくとも1つのエリア固有のシステム情報の格納された識別子をそれぞれ比較するように構成される。
【０１０２】
第1の取得部34は、ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するか、またはターゲットセルにおける少なくとも1つのSIB／システム情報ブロックグループの識別子が、少なくとも1つのSIB／システム情報ブロックグループのすべての格納された識別子と異なる場合、ターゲットセルにおけるすべてのSIB／システム情報ブロックグループを取得する、ように構成される。
【０１０３】
さらに、一実施態様では、受信部31は、ネットワークデバイスからSIB／システム情報ブロックグループの更新指示を受信するときに、少なくとも1つの更新されたSIB／システム情報ブロックグループの識別子を取得するために、ネットワークデバイスからMSIメッセージを受信する、ようにさらに構成される。
【０１０４】
第1の取得部34は、少なくとも1つの更新されたSIB／システム情報ブロックグループの識別子が、ターゲットセルにおける少なくとも1つのSIB／システム情報ブロックグループのものである、端末デバイスによって格納されている識別子と部分的に同じである場合、少なくとも1つの更新されたSIB／システム情報ブロックグループの識別子内の、ターゲットセルにおける少なくとも1つのSIB／システム情報ブロックグループの格納された識別子と異なる識別子に対応する少なくとも1つのSIB／システム情報ブロックグループを取得するか、または少なくとも1つの更新されたSIB／システム情報ブロックグループの識別子がターゲットセルにおける少なくとも1つのSIB／システム情報ブロックグループのすべての格納された識別子と異なる場合、すべての更新されたSIB／システム情報ブロックグループを取得する、ようにさらに構成される。
【０１０５】
本発明の本実施形態で提供される端末デバイスによれば、端末デバイスは、システム情報ブロック／システム情報ブロックグループのものである、最小システム情報メッセージでネットワークデバイスによってブロードキャストされた識別情報を受信し、識別子のタイプに基づいて異なる識別子に対応する識別情報が含まれ、識別子によって占有されるビットの数が識別子のタイプに対応し、それによってネットワークシステムリソースが節約され、端末デバイスは、識別子のタイプに基づいて、取得されるべき識別子を決定し、端末デバイスがターゲットセルに移動するか、またはシステム情報ブロック／システム情報ブロックグループの更新指示を受信すると、端末デバイスは、ネットワークデバイスから、端末デバイスによって格納されていないシステム情報ブロック／システム情報ブロックグループを取得し、それによってネットワークシステムリソースがさらに節約される。
【０１０６】
本発明の一実施形態はネットワークデバイスをさらに提供する。ネットワークデバイスは前述の通信システムにおけるネットワークデバイスであってもよく、ネットワークデバイスは図9に示されるハードウェアアーキテクチャを使用し得る。ネットワークデバイスは、受信機と、送信機と、メモリと、プロセッサとを含み得る。受信機と送信機とプロセッサとメモリとはバスシステムを使用して互いに接続される。図6で送信部11によって実施される関連機能が送信機によって実施され、受信部12によって実施される関連機能が受信機によって実施され得る。
【０１０７】
メモリは、ランダムアクセスメモリ（Random Access Memory、RAM）、読取り専用メモリ（Read-Only Memory、ROM）、消去書込み可能読取り専用メモリ（Erasable Programmable Read Only Memory、EPROM）、またはコンパクトディスク読取り専用メモリ（Compact Disc Read-Only Memory、CD-ROM）を含むがこれに限定されず、メモリは、関連する命令および関連するデータを格納するように構成される。
【０１０８】
受信機は、データおよび／または信号を受信するように構成され、送信機は、データおよび／または信号を送信するように構成される。送信機および受信機は、独立したデバイスまたは送受信機などの統合デバイスであり得る。
【０１０９】
プロセッサは、1つまたは複数のプロセッサを含み、例えば、1つまたは複数の中央処理装置（Central Processing Unit、CPU）を含み得る。プロセッサが1つのCPUである場合、CPUは、シングルコアCPUまたはマルチコアCPUであり得る。
【０１１０】
メモリは、ネットワークデバイスのプログラムコードおよびデータを格納するように構成され、別個のデバイスであるかまたはプロセッサに統合され得る。
【０１１１】
前述の構成要素は、実装用のチップに統合されてもよく、例えば、実装用のベースバンドチップに統合され得る。
【０１１２】
具体的には、プロセッサは、送信機を使用して、最小システム情報MSIメッセージをブロードキャストする動作であって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、動作を行う。
【０１１３】
一実施態様では、識別子のビット数が識別子のタイプに対応する。
【０１１４】
別の実施態様では、各SIB／システム情報ブロックグループの識別情報は、以下の情報、すなわち、次のSIB／システム情報ブロックグループの識別子があるかどうかを指示する指示、およびセルがシステム情報をサポートするかどうかを指示する指示のうちの少なくとも1つをさらに含む。
【０１１５】
さらに別の実施態様では、MSIメッセージは、少なくとも1つの他のシステム情報ブロック／他のシステム情報ブロックグループのスケジューリング情報をさらに含み、他のシステム情報ブロック／他のシステム情報ブロックグループは、最小システム情報ブロック／最小システム情報ブロックグループ以外のSIB／システム情報ブロックグループである。
【０１１６】
さらに別の実施態様では、プロセッサは、
受信機を使用して、端末デバイスから少なくとも1つのSIB／システム情報ブロックグループを求める取得要求を受信する動作であって、少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、取得要求が、少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するよう要求するために使用されるか、または少なくとも1つのSIB／システム情報ブロックグループの識別子が、少なくとも1つのSIB／システム情報ブロックグループのすべての格納された識別子と異なる場合、取得要求が、すべてのSIB／システム情報ブロックグループを取得するよう要求するために使用される、動作と、
送信機が、少なくとも1つの要求されたSIB／システム情報ブロックグループを端末デバイスに送信する動作とを行うようにさらに構成される。
【０１１７】
詳細については、方法実施形態の説明を参照されたい。ここでは詳細を繰り返さない。
【０１１８】
図9はネットワークデバイスの簡略化された設計を示すにすぎないことが理解されよう。実際の応用に際して、ネットワークデバイスは、任意の数の送受信機、プロセッサ、コントローラ、メモリなどを含むがこれに限定されない他の必要な構成要素も含んでいてよく、本発明の本実施形態を実施し得るあらゆるネットワークデバイスをすべて本発明の保護範囲内とする。
【０１１９】
本発明の本実施形態で提供されるネットワークデバイスによれば、ネットワークデバイスは、システム情報ブロック／システム情報ブロックグループの識別情報を最小システム情報メッセージにおいてブロードキャストし、識別子のタイプに基づいて異なる識別子に対応する識別情報が含まれ、それによってネットワークリソースオーバーヘッドが削減される。
【０１２０】
本発明の一実施形態は端末デバイスをさらに提供する。端末デバイスは前述の通信システムにおける端末デバイスであってもよく、端末デバイスは図9に示されるハードウェアアーキテクチャを使用し得る。端末デバイスは、受信機と、送信機と、メモリと、プロセッサとを含み得る。受信機と送信機とプロセッサとメモリとはバスシステムを使用して互いに接続される。図7の受信部21または図8の受信部31によって実施される関連機能が送信機によって実施されてもよく、図7の第1の取得部22または図8の第2の取得部32、判定部33、および第1の取得部34によって実施される関連機能が1つまたは複数のプロセッサによって実施されてもよい。
【０１２１】
メモリは、RAM、ROM、EPROM、またはCD-ROMを含むがこれに限定されず、メモリは関連する命令および関連するデータを格納するように構成される。
【０１２２】
受信機は、データおよび／または信号を受信するように構成され、送信機は、データおよび／または信号を送信するように構成される。送信機および受信機は、独立したデバイスまたは送受信機などの統合デバイスであり得る。
【０１２３】
プロセッサは、1つまたは複数のプロセッサを含み、例えば、1つまたは複数のCPUを含み得る。プロセッサが1つのCPUである場合、CPUは、シングルコアCPUまたはマルチコアCPUであり得る。
【０１２４】
メモリは、端末デバイスのプログラムコードおよびデータを格納するように構成され、別個のデバイスであるかまたはプロセッサに統合され得る。
【０１２５】
前述の構成要素は、実装用のチップに統合されてもよく、例えば、実装用のベースバンドチップに統合され得る。
【０１２６】
具体的には、プロセッサは、端末デバイスがターゲットセルに移動したときに、受信機を使用して、ターゲットセルに対応するネットワークデバイスから最小システム情報MSIメッセージを受信する動作であって、MSIメッセージが少なくとも1つのシステム情報ブロックSIB／システム情報ブロックグループの識別情報を含み、各SIB／システム情報ブロックグループの識別情報がSIB／システム情報ブロックグループの識別子と識別子のタイプ指示とを含み、各SIB／システム情報ブロックグループの識別子がSIB／システム情報ブロックグループのバージョンを指示するために使用され、識別子のタイプ指示が、SIB／システム情報ブロックグループの識別子のタイプがエリア固有のシステム情報識別子またはセル固有のシステム情報識別子であることを指示するために使用される、動作を行う。
【０１２７】
プロセッサは、
ターゲットセルにおける少なくとも1つのSIB／システム情報ブロックグループの識別子が、エリア内のセルにおける少なくとも1つのSIB／システム情報ブロックグループのものである、端末デバイスによって格納されている識別子と部分的に同じである場合、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得するステップ、または
ターゲットセルにおける少なくとも1つのSIB／システム情報ブロックグループの識別子が、少なくとも1つのSIB／システム情報ブロックグループのすべての格納された識別子と異なる場合、ターゲットセルにおけるすべてのSIB／システム情報ブロックグループを取得するステップのうちの少なくとも1つを行うようにさらに構成される。
【０１２８】
一実施態様では、プロセッサは、
ターゲットセルにおける少なくとも1つのSIB／システム情報ブロックグループの識別子が少なくとも1つのSIB／システム情報ブロックグループの格納された識別子と同じであるかどうかを判定するために、ターゲットセルにおける少なくとも1つのSIB／システム情報ブロックグループの識別子のタイプに基づき、ターゲットセルにおける少なくとも1つのセル固有のシステム情報の識別子とターゲットセルにおける少なくとも1つのセル固有のシステム情報の格納された識別子、およびターゲットセルにおける少なくとも1つのエリア固有のシステム情報の識別子とエリア内のセルにおける少なくとも1つのエリア固有のシステム情報の格納された識別子をそれぞれ比較する動作を行うようにさらに構成される。
【０１２９】
別の実施態様では、プロセッサは、
SIB／システム情報ブロックグループの識別情報中の各SIB／システム情報ブロックグループの識別子のタイプを取得し、SIB／システム情報ブロックグループのものである、識別子のタイプに対応するビット数で指示される識別子を取得する動作であって、識別子のビット数が識別子のタイプに対応する、動作を行うようにさらに構成される。
【０１３０】
さらに別の実施態様では、プロセッサは、
ネットワークデバイスからSIB／システム情報ブロックグループの更新指示を受信するときに、受信機を使用して、少なくとも1つの更新されたSIB／システム情報ブロックグループの識別子を取得するために、ネットワークデバイスからMSIメッセージを受信する動作と、
少なくとも1つの更新されたSIB／システム情報ブロックグループの識別子が、ターゲットセルにおける少なくとも1つのSIB／システム情報ブロックグループのものである、端末デバイスによって格納されている識別子と部分的に同じである場合、ターゲットセルにおける少なくとも1つのSIB／システム情報ブロックグループの識別子内の、少なくとも1つのSIB／システム情報ブロックグループの格納された識別子と異なる識別子に対応する少なくとも1つのSIB／システム情報ブロックグループを取得する動作、または
少なくとも1つの更新されたSIB／システム情報ブロックグループの識別子がターゲットセルにおける少なくとも1つのSIB／システム情報ブロックグループのすべての格納された識別子と異なる場合、すべての更新されたSIB／システム情報ブロックグループを取得する動作とを行うようにさらに構成される。
【０１３１】
詳細については、方法実施形態の説明を参照されたい。ここでは詳細を繰り返さない。
【０１３２】
図9は端末デバイスの簡略化された設計を示すにすぎないことが理解されよう。実際の応用に際して、端末デバイスは、任意の数の送受信機、プロセッサ、コントローラ、メモリなどを含むがこれに限定されない他の必要な構成要素も含んでいてよく、本発明態を実施し得るあらゆる端末デバイスをすべて本発明の保護範囲内とする。
【０１３３】
本発明の本実施形態で提供される端末デバイスによれば、端末デバイスは、システム情報ブロック／システム情報ブロックグループのものである、最小システム情報メッセージでネットワークデバイスによってブロードキャストされた識別情報を受信し、識別子のタイプに基づいて異なる識別子に対応する識別情報が含まれ、識別子によって占有されるビットの数が識別子のタイプに対応し、それによってネットワークシステムリソースが節約され、端末デバイスは、識別子のタイプに基づいて、取得されるべき識別子を決定し、端末デバイスがターゲットセルに移動するか、またはシステム情報ブロック／システム情報ブロックグループの更新指示を受信すると、端末デバイスは、ネットワークデバイスから、端末デバイスによって格納されていないシステム情報ブロック／システム情報ブロックグループを取得し、それによってネットワークシステムリソースがさらに節約される。
【０１３４】
本明細書で開示する実施形態において記述される例と組み合わせて、各ユニットおよびアルゴリズムステップを、電子ハードウェアによって、またはコンピュータソフトウェアと電子ハードウェアの組み合わせによって実現できることを、当業者は理解するであろう。機能が果たされるのがハードウェアによってかそれともソフトウェアによってかは、技術的解決策の個々の用途および設計上の制約条件に依存する。当業者は、記載される機能を個々の用途ごとに様々な方法を使用して実施し得るが、それらの実施態様は本出願の範囲を超えるものとみなされるべきではない。
【０１３５】
説明を簡便にするために、前述のシステム、装置、およびユニットの詳細な動作プロセスについては、前述の方法実施形態における対応するプロセスを参照することが当業者には明確に理解されよう。ここでは詳細を繰り返さない。
【０１３６】
本出願で提供されるいくつかの実施形態においては、開示のシステム、装置、および方法が他のやり方で実現され得ることを理解されたい。例えば、記載の装置実施形態は単なる例にすぎない。例えば、ユニット分割は単なる論理的機能分割にすぎず、実際の実装に際しては他の分割であってもよい。例えば、複数のユニットまたはコンポーネントが組み合わされ、または統合されて別のシステムになる場合もあり、または一部の機能が無視されるか、もしくは実行されない場合もある。加えて、図示または記載の相互結合または直接結合または通信接続は、いくつかのインターフェースを使用して実現されてもよい。装置間またはユニット間の間接結合または通信接続は、電子的形態、機械的形態、または他の形態として実現されてもよい。
【０１３７】
別々の部品として記載されるユニットが物理的に分離している場合もそうではない場合もあり、ユニットとして図示される部品が物理的ユニットである場合もそうではない場合もあり、一箇所に位置する場合もあり、複数のネットワークユニット上に分散されている場合もある。ユニットの一部または全部が、各実施形態の解決策の目的を達成するための実際の要件に基づいて選択されてもよい。
【０１３８】
加えて、本出願の各実施形態における機能ユニットは1つの処理ユニットに統合されてもよく、各ユニットが物理的に独立して存在していてもよく、または2つ以上のユニットが1つのユニットへ統合される。
【０１３９】
前述の実施形態の全部または一部が、ソフトウェア、ハードウェア、ファームウェア、またはそれらの任意の組み合わせによって実現され得る。各実施形態を実現するためにソフトウェアが使用される場合、各実施形態は、完全に、または部分的にコンピュータプログラム製品の形態で実現され得る。コンピュータプログラム製品は、1つまたは複数のコンピュータ命令を含む。コンピュータプログラム命令がロードされ、コンピュータ上で実行されると、本発明の実施形態による手順または機能の全部または一部が生成される。コンピュータは、汎用コンピュータ、専用コンピュータ、コンピュータネットワーク、または他のプログラマブル装置であり得る。コンピュータ命令は、コンピュータ可読記憶媒体に格納されていてもよく、またはコンピュータ可読記憶媒体を使用して送信されてもよい。コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、デジタル加入者線（DSL））または無線（例えば、赤外線、電波、マイクロ波）方式で送信され得る。コンピュータ可読記憶媒体は、コンピュータがアクセスできる任意の使用可能な媒体、または、1つもしくは複数の使用可能な媒体を統合した、サーバやデータセンタなどのデータ記憶装置であり得る。使用可能な媒体は、磁気媒体（例えば、フロッピーディスク、ハードディスク、磁気テープ）、光媒体（例えばDVD）、半導体媒体（例えば、ソリッドステートドライブ（Solid-State Disk（SSD））などであり得る。
【０１４０】
実施形態における方法のプロセスの全部または一部が関連ハードウェアに命令するコンピュータプログラムによって実現され得ることが当業者には理解されよう。プログラムはコンピュータ可読記憶媒体に格納され得る。プログラムが動作すると、実施形態における方法のプロセスが行われる。前述の記憶媒体は、ROM、ランダムアクセスメモリRAM、磁気ディスク、光ディスクといった、プログラムコードを格納することができる任意の媒体を含む。
【符号の説明】
【０１４１】
11  送信部
12  受信部
21  受信部
22  第1の取得部
31  受信部
32  第2の取得部
33  判定部
34  第1の取得部
102  基地局
104  アンテナ
106  アンテナ
108  アンテナ
110  アンテナ
112  アンテナ
114  アンテナ
116  端末デバイス
118  順方向リンク
120  逆方向リンク
122  端末デバイス
124  順方向リンク
126  逆方向リンク
1000  ネットワークデバイス
2000  端末デバイス
3000  端末デバイス
【図１】
0006929967.tif 000005
【図２】
0006929967.tif 000006
【図３】
0006929967.tif 000007
【図４】
0006929967.tif 000008
【図５】
0006929967.tif 000009
【図６】
0006929967.tif 000010
【図７】
0006929967.tif 000011
【図８】
0006929967.tif 000012
【図９】
0006929967.tif 000013